(57)【特許請求の範囲】
【請求項１】
所定の間隔で設けられた各支柱に、前面がプレート取付面に形成された中空の角筒体に形成されると共に、その内部空間にスプリングが内蔵されそのスプリングにより常時前方へ向け付勢された進退可能な取付ブラケットを設け、その取付ブラケットと支柱とを一体のユニット構造とする一方、支柱と支柱の間に表面が平らなプレート板を配置し、そのプレート板とプレート板の両端末を前記取付ブラケットに取付けたことを特徴とする競技場用の防護柵。
【発明の詳細な説明】
【０００１】
【発明の属する技術分野】
この発明は、競輪場等競技場の防護柵に関する。
【０００２】
【従来の技術】
一般に、競輪場等競技場の防護柵は、バンクに沿って所定の間隔で支柱が設けられ、支柱と支柱との間に金網が張りめぐらされた構造のものがある。
【０００３】
【発明が解決しようとする課題】
金網による競技場等の防護柵は、競技者が金網に衝突した際に、金網が大きく変形することで、衝突時のエネルギーが吸収され、その時の衝撃力を柔らげる機能を備えているが、支柱の領域では、直接支柱に接触するかたちとなり、衝撃エネルギーの吸収はできず、大きな事故につながりかねない。しかも、金網は衝突した際に網目状に組上げられた凹凸面となる所から、滑らずに身体が引っかかり、傷等が発生しやすくなる等の問題があった。
【０００４】
そこで、この発明は、防護柵の施工時間の短縮が図れると共に、しかも、衝突時の衝撃エネルギを長期間にわたって安定して吸収することのできる競技場の防護柵を提供することを目的としている。
【０００５】
【課題を解決するための手段】
前記目的を達成するために、この発明の請求項１にあっては、所定の間隔で設けられた各支柱に、前面がプレート取付面に形成された中空の角筒体に形成し、その内部空間にスプリングが内蔵されそのスプリングにより常時前方へ向け付勢された進退可能な取付ブラケットを設け、その取付ブラケットと支柱とを一体のユニット構造とする一方、支柱と支柱の間に表面が平らなプレート板を配置し、そのプレート板とプレート板の両端末を前記取付ブラケットに取付けたことを特徴とする。
【０００６】
これにより、衝撃エネルギを吸収する取付けブラケットは、支柱と一体のユニット構造となるため、支柱を立てた後、衝撃エネルギ吸収用のスプリング等を組付ける組付け作業が不用となる。この結果、取付ブラケットに対して直接プレート板の取付けが可能となるため施工時間の大幅な短縮が図れる。
【０００７】
一方、競技中に選手がプレート板に衝突すると、その衝突エネルギーは、支柱を含めたいずれの場所であってもプレート板を介して取付ブラケットに伝わり、プレート板は、スプリングに抗して後退し、エネルギー吸収が行なわれる。と同時に、プレート板に衝突した身体は、引っかかることなく円滑に滑るために身体表面に傷がつくのが抑えられ、衝突時の大きな事故を減らせるようになる。
【０００９】
また、取付ブラケットは、プレート板を取付けるための機能とスプリングをカバーするスプリングカバー機能が得られるため、スプリングは、雨、風に直接さらされることがなくなる結果、施工後のばね弾性が長期間にわたり安定して得られるようになる。
【００１０】
【発明の実施の形態】
以下、図１乃至図５の図面を参照しながらこの発明の一実施形態を詳細に説明する。
【００１１】
図中１は競輪場等のバンクに沿って所定の間隔で配置された支柱、３は支柱１の内部へ一部分が進退自在に挿入された取付ブラケットを示しており、主柱１と取付ブラケット３とは一体のユニット構造となっている。
【００１２】
支柱１は中空の角柱状に形成され、下端は基礎５内に埋め込まれることで固定支持されるようになっている。
【００１３】
取付ブラケット３は、支柱１に対して上下２箇所に配置され、前方は所定広さのプレート取付面７に形成された中空の角筒体に形成されている。角筒体に形成された取付ブラケット３の両側壁には前後に長い長孔９が設けられ、内部にはスプリング１１が配置されている。スプリング１１は、一方がプレート取付面７の裏面に、他方は後述する取付ボルト１３により支持されるスリーブ１５によってそれぞれ支持されている。
【００１４】
取付ボルト１３は図４に示すように、支柱１の一方の壁面から取付ブラケット３の長孔９、スプリング１１を支持したスリーブ１５、長孔９を貫通し、反対側の支柱１の壁面からボルト部１３ａが外方へ突出し、そのボルト部１３ａにナット１７が遊びを有して螺合された構造となっている。したがって、取付ブラケット３は長孔９の範囲内において前後、図４イ、ロ方向のスライド移動が可能になると共にスプリング１１により、常時矢印イ方向となる前方へ向け付勢されるようになっている。
【００１５】
取付ブラケット３のプレート取付面７には、前記支柱１の幅とほぼ同一幅に形成された上下に長い取付板１９がボルト２１、ナット２２にて固定支持されている。この場合、ナット２２は予めプレート取付面７の裏面に固着されたウェルトナットとなっていて、外から取付板１９の取付けが容易に行なえるようになっている。
【００１６】
取付板１９には、各支柱１と支柱１の間に配置された前記プレート板２３とプレート板２３の両端末部が突合わされた状態で、ボルト２５，ナット２７によりゴム製の弾性部材２９を介して取付けられている。
【００１７】
プレート板２３は、表面が平らな透明な合成樹脂により形成され、外からプレート板２３を通して競技場の内部が見えるようになっている。この場合、プレート板２３が上から見える高さ寸法の場合には不透明材であっても可能である。
【００１８】
弾性部材２９は、前記取付板１９とほぼ同一幅に形成され、中央部位に突条部２９ａが長手方向に沿って形成されている。弾性部材２９の突条部２９ａには前記プレート板２３とプレート板２３の各端末が弾接しており、その突合せ領域において面一形状が確保されている。
【００１９】
プレート板２３を取付けるボルト２５の頭は、皿板状に形成され座金３１から外部へ突出しないようになっている。
【００２０】
なお、３３は断面Ｕ字状の保護カバーを示しており、前記プレート板２３の上端縁と下端縁の全領域にわたって装着されている。
【００２１】
このように構成された防護柵によれば、支柱１を基礎５に埋め込むことで、衝撃エネルギを吸収する取付ブラケット３が同時に得られる。したがって、衝撃エネルギ吸収用のスプリング等を取付ける作業が不用となり、取付ブラケット３のプレート取付面７に対して直接プレート板２３を取付けられる。この結果、施工時間を大幅に短縮できる。
【００２２】
一方、競技中において選手が衝突すると、プレート板２３は、スプリング１１の付勢力に抗して取付ブラケット３と一緒に後退するために、支柱１の領域であってもその衝突エネルギーが吸収される結果、大きな衝撃力が身体に加わることはなくなり、大きな事故につながることもない。
【００２３】
この場合、スプリング１１は、取付ブラケット３によって雨、風に直接さらされることがないため、施工時のばね弾性が長期間にわたり安定して確実に得られるようになり、取付ブラケット３による確実な衝撃エネルギの吸収が可能となる。
【００２４】
また、衝突した際に身体は円滑に滑るため傷等の発生が抑えられるようになる。
【００２５】
【発明の効果】
以上、説明したように、この発明の請求項１によれば、衝撃エネルギ吸収用取付ブラケットを、支柱と一体のユニット構造としたので、支柱の埋設からプレート板の取付けまで迅速に完了し、施工時間の大幅な短縮を図ることができる。
【００２６】
また、衝突した際に、衝撃力を弱めることができるため、大きな事故につながるのを抑えることができると共に、身体はプレート板に対して円滑に滑るようになるため、傷等の発生を抑えることができる。
【００２７】
また、プレート板の取付け機能とスプリングをカバーするスプリングカバー機能とを備えた取付けブラケットによって、スプリングは雨・風に直接さらされることがなくなるため、施工時のばね弾性が長期間にわたって安定して確実に得られるようになる。
【図面の簡単な説明】
【図１】取付ブラケットと一体のユニットに構成された支柱を基礎に埋設した状態の概要側面図。
【図２】支柱に防護柵を取付けた状態の概要側面図。
【図３】図２のＡ−Ａ線概要断面図。
【図４】図３の概要分解切断平面図。
【図５】取付け完了後の防護柵の一部分を示した概要説明図。
【符号の説明】
１  支柱
３  取付ブラケット
７  プレート取付面
１１  スプリング
２３  プレート板
【図１】
0003635077.tif 000002
【図２】
0003635077.tif 000003
【図３】
0003635077.tif 000004
【図４】
0003635077.tif 000005
【図５】
0003635077.tif 000006